(57)【要約】【課題】省スペース化が図られ、さらに調芯工程が容易なレンズ調芯機構を提供する。【解決手段】撮像レンズ１２と、撮像レンズ１２を保持するレンズ枠体１３と、レンズ枠体１３に挿通され、レンズ枠体１３を撮像レンズ１２の光軸方向と平行にガイドするガイド軸３０と、ガイド軸３０を支持する支持部２１，４６が形成されたレンズ鏡筒３を備え、ガイド軸３０は、レンズ枠体１３に挿通される偏心カム部３２と、偏心カム部３２の両側に同軸かつ偏心カム部３２の中心軸とは偏心されて形成された一対の回転操作軸３３，３３とを有し、回転操作軸３３が回転されることにより、レンズ枠体１３を光軸方向と直交する方向へ移動させ、撮像レンズ１２の光軸を調整する。【選択図】図４
2008209647.tif 000002
【特許請求の範囲】
【請求項１】
撮像レンズと、
上記撮像レンズを保持するレンズ枠体と、
上記レンズ枠体に挿通され、該レンズ枠体を上記撮像レンズの光軸方向と平行にガイドするガイド軸と、
上記ガイド軸を支持する支持部が形成された鏡筒を備え、
上記ガイド軸は、上記レンズ枠体に挿通される偏心カム部と、該偏心カム部の両側に同軸かつ上記偏心カム部の中心軸とは偏心されて形成された一対の回転操作軸とを有し、該回転操作軸が回転されることにより、上記レンズ枠体を上記光軸方向と直交する方向へ移動させ、上記撮像レンズの光軸を調整するレンズ調芯機構。
【請求項２】
上記ガイド軸は、上記レンズ枠体の上記撮像レンズを挟んだ両側に配設され、一方のガイド軸は、上記偏心カム部が上記レンズ枠体と一体に設けられたスリーブに嵌合され、他方のガイド軸は、上記偏心カム部が上記レンズ枠体に形成され一方が開口された凹部に挟持されていることを特徴とする請求項１記載のレンズ調芯機構。
【請求項３】
上記凹部は、上記一方のガイド軸の上記回転操作軸の軸中心と、上記他方のガイド軸の偏心カム部の軸中心を通る方向に開口されていることを特徴とする請求項２記載のレンズ調芯機構。
【請求項４】
上記ガイド軸は、上記回転操作部の一端面に調整治具が係合される係合部が形成され、該係合部が上記鏡筒の外方へ臨まされていることを特徴とする請求項１〜３いずれか１項に記載のレンズ調芯機構。
【請求項５】
上記ガイド軸は、上記撮像レンズの光軸方向に離間して配置された複数のレンズ枠体を支持し、一のレンズ枠体のスリーブには上記偏心カム部が挿通され、他のレンズ枠体には上記回転操作部と同軸で該他のレンズ枠体の光軸方向への移動をガイドするガイド部が挿通されていることを特徴とする請求項１〜４のいずれか１項に記載のレンズ調芯機構。
【請求項６】
撮像レンズと、上記撮像レンズを保持するレンズ枠体と、上記レンズ枠体に挿通され、該レンズ枠体を上記撮像レンズの光軸方向と平行にガイドするガイド軸と、上記ガイド軸を支持する支持部を備え、上記ガイド軸は、上記レンズ枠体に挿通される偏心カム部と、該偏心カム部の両側に同軸かつ上記偏心カム部の中心軸とは偏心されて形成された一対の回転操作軸とを有し、該回転操作軸が回転されることにより、上記レンズ枠体を上記光軸方向と直交する方向へ移動させ、上記撮像レンズの光軸を調整するレンズ調芯機構が組み込まれた鏡筒。
【請求項７】
撮像レンズと、上記撮像レンズを保持するレンズ枠体と、上記レンズ枠体に挿通され、該レンズ枠体を上記撮像レンズの光軸方向と平行にガイドするガイド軸と、上記ガイド軸を支持する支持部を備え、上記ガイド軸は、上記レンズ枠体に挿通される偏心カム部と、該偏心カム部の両側に同軸かつ上記偏心カム部の中心軸とは偏心されて形成された一対の回転操作軸とを有し、該回転操作軸が回転されることにより、上記レンズ枠体を上記光軸方向と直交する方向へ移動させ、上記撮像レンズの光軸を調整するレンズ調芯機構と、
上記レンズ調芯機構が組み込まれた鏡筒とを有する撮像装置。
【発明の詳細な説明】
【技術分野】
【０００１】
本発明は、レンズを保持するレンズ保持部材がレンズ鏡筒本体に取り付けられた際に、このレンズの調芯を行うためのレンズ調芯機構、レンズ調芯機構を備えるレンズ鏡筒及び撮像装置に関する。
【背景技術】
【０００２】
従来より、カムコーダ、デジタルスチルカメラ等の撮影装置や双眼鏡または天体望遠鏡などに組み込まれているレンズ鏡筒では、レンズ群と撮像素子、あるいはレンズ間の光軸を調整するためのレンズ調芯機構が設けられている。レンズ調芯では、撮像レンズの光軸を傾倒させるチルト調芯と、撮像レンズを光軸方向と直交する方向へ移動させるシフト調芯がある。
【０００３】
このうち、シフト調芯を行う従来例としては、特許文献１（特開２００２−１９６２０６号公報）に記載された調芯機構がある。図１５に示すように、この調芯機構１００は、撮像レンズ１０１と、撮像レンズ１０１を保持するレンズ保持枠１０２と、その一端がレンズ保持枠１０２に連結され他端が調芯ピン１０５に連結された２つの第１の付勢バネ１０３と、その一端がレンズ保持枠１０２に連結され他端が図示しないレンズ鏡筒に連結された第２の付勢バネ１０４と、第１の付勢バネ１０３と連結された調芯ピン１０５とを備える。
【０００４】
レンズ保持枠１０２は、レンズ鏡筒内において図示しない弾性手段により光軸方向には移動不可能に支持され、第１、第２の付勢バネ１０３，１０４により半浮動状態で支持されることにより光軸直交方向には移動可能とされている。またレンズ保持枠１０２は、第１、第２の付勢バネ１０３，１０４に光軸周りにおおよそ３等配に支持されている。
【０００５】
調芯ピン１０５は、同軸の主軸１０５ａと副軸１０５ｂが設けられており、主軸１０５ａと副軸１０５ｂとが、その中心軸と所定量だけ偏芯された偏芯軸１０５ｃによって連結されている。また、偏芯軸１０５ｃには、第１の付勢バネ１０３の一端が掛けられている。そして、調芯ピン１０５は、主軸１０５ａ及び副軸１０５ｂが、図示しないレンズ鏡筒の軸受けに嵌合され、回転自在に保持されている。
【０００６】
かかる調芯機構１００は、調芯ピン１０５をマイナスドライバー等の工具で回転させることにより、偏芯軸１０５ｃを主軸１０５ａ及び副軸１０５ｂの中心軸Ｃを中心にして回転させることにより撮像レンズ１０１の調芯を行う。具体的に、偏芯軸１０５ｃには第１の付勢バネ１０３の一端が掛けられているので、調芯ピン１０５の回転により第１の付勢バネ１０３の張力が変化し、レンズ保持枠１０２が移動する。
【０００７】
例えば、偏芯軸１０５ｃが光軸から遠ざかる方向に調芯ピン１０５を回転させるとレンズ保持枠１０２は調芯ピン１０５に近づく方向に移動し、偏芯軸１０５ｃが光軸に近づく方向に調芯ピン１０５を回転させるとレンズ保持枠１０２は調芯ピン１０５から遠ざかる方向に移動する。偏芯ピン５は２つあり、この２つの偏芯ピン５を回転調整することで、レンズ保持枠１０２を光軸直交方向に自在に移動させることができ、すなわち図示しないレンズ鏡筒に対するレンズ保持枠１０２の光軸直交方向の位置を調整することができ、シフト調芯を可能としている。なお第２の付勢バネ１０４は、２つの第１の付勢バネ１０３の張力と釣りあう張力を発生する長さに変化する。調芯機構１００は、上記調芯作業の終了後、調芯ピン１０５が調整位置から回転しないように、接着剤等で固定される。
【０００８】
また、シフト調芯を行う他の従来例としては、特許文献２（特開２００１−３４３５７４号公報）に記載された調芯機構がある。図１６（ａ）及び図１６（ｂ）に示すように、この調芯機構２００は、レンズ鏡筒２０１と、撮像レンズ２０２と、撮像レンズ２０２を保持するレンズ保持枠２０３と、調芯リング２０４とを有する。なお、図１６（ａ）は、調芯機構２００の一断面を示し、図１６（ｂ）は調芯機構２００の他断面を示す。
【０００９】
調芯リング２０４は、図１６（ｂ）のようにクサビ部２０４ａが設けられた部分と、図１６（ａ）のようにクサビ部２０４ａのない部分が交互に連結されリング形状を成している。また、調芯機構２００は、図１６（ａ）のように、調芯リング２０４にクサビ部２０４ａがない断面においては、レンズ保持枠２０３及びレンズ鏡筒２０１にそれぞれバヨネット部２０３ａ，２０１ａが設けられており、レンズ鏡筒２０１に対するレンズ保持枠２０３の光軸方向の移動を規制している。また調芯機構２００は、バヨネット部２０３ａ，２０１ａ間に所定量の隙間Ｃが設けられており、その隙間量だけ光軸直交方向には移動可能に支持されている。
【００１０】
次いで、かかる調芯機構２００の調芯工程を説明する。図１７（ａ）は初期状態を表しており、調芯リング２０４は光軸方向前側（図中では左側）に退避している。したがって、この初期状態ではレンズ保持枠２０３は光軸直交方向には位置決めされていない。この状態から調芯リング２０４の軸を光軸と平行を保ったままレンズ鏡筒２０１に当接するまで光軸方向後側（図中では右側）に移動させる。このとき、レンズ保持枠２０３の軸は光軸Ｃ１と一致している。
【００１１】
さらにこの状態から調芯リング２０４を時計方向に傾けた状態を図１７（ｂ）に示す。上側ではクサビ部２０４ａの突入量が多くなり、下側ではクサビ部２０４ａの突入量が少なくなる。したがって、レンズ保持枠２０３は、レンズ鏡筒２０１に対して下側に移動し、レンズ保持枠２０３の軸もＣ２に移動する。ここで調芯リング２０４の傾ける量を変えることで、レンズ保持枠２０３の光軸直交方向の移動量を変えることができる。
【００１２】
また、調芯リング２０４を反時計方向に傾けた状態を図１７（ｃ）に示す。上側ではクサビ部２０４ａの突入量が少なくなり、下側ではクサビ部２０４ａの突入量が多くなる。したがって、レンズ保持枠２０３はレンズ鏡筒２０１に対して、上側に移動し、レンズ保持枠２０３の軸もＣ３に移動する。ここで調芯リング２０４の傾ける量を変えることで、レンズ保持枠２０３の光軸直交方向の移動量を変えることができる。
【００１３】
このように、調芯機構２００は、調進リング２０４の傾ける量と方向を調整することで、レンズ保持枠２０３を光軸直交方向に自在に移動させることができ、すなわちレンズ鏡筒２０１に対するレンズ保持枠２０３の光軸直交方向の位置を調整することができ、シフト調芯を可能としている。調芯機構２００は、調芯作業の終了後、調芯リング２０４が調整位置から移動しないように、接着等により固定される。
【００１４】
ところで、近年の撮像装置の小型化に対する要求に伴い、レンズ鏡筒も小型化を要求されている。しかし、上述した調芯機構１００を用いた場合、第１、第２の付勢バネ１０３，１０４を光軸に対して直交する方向すなわち、レンズ保持枠１０２の外側に突出する方向に配置しなければならず、外径側に大きく膨らんでしまい、レンズ鏡筒の小型化を妨げる要因となっていた。また、調芯ピン１０５を光軸方向から調整しなければならならず、調整工具等のスペースのために調芯ピン１０５の前（あるいは後）方向に部品を配置できず、設計の自由度の阻害、デッドスペースが生まれ、レンズ鏡筒の小型化を妨げる要因となっていた。更に、第１、第２の付勢バネ１０３，１０４等の弾性部材を必要とする為、そのためのコストアップも避けられなかった。
【００１５】
また、上述した調芯機構２００を用いた場合、調芯リング２０４を操作するための調整治具が必要となる。そのため、レンズ鏡筒２０１の各々に対して、調整治具にセットする手間が必要であり、調整工程費のアップを招いていた。また、調整後の固定の際、リング状の調芯リング２０４を接着等により固定しなければならないため、接着等の固定箇所が多くなったり、調整後のショック等により、調芯リング２０４が調整後の位置から動いてしまい、撮像レンズ２０２が調整位置からずれる恐れがあった。
【００１６】
さらに、上記調芯機構１００及び調芯機構２００を、いわゆるズームレンズ群やフォーカスレンズ群等の移動群に適用するにはその機構上不適であり、適用できるレンズ群に制約ができてしまうという欠点があった。
【００１７】
【特許文献１】特開２００２−１９６２０６号公報
【特許文献２】特開２００１−３４３５７４号公報
【発明の開示】
【発明が解決しようとする課題】
【００１８】
そこで、本発明は、上述した課題を解決するために、レンズ鏡筒の小型化を図るとともに、省スペース化が図られ、さらに調芯工程が容易なレンズ調芯機構、レンズ調芯機構を備える鏡筒及び撮像装置を提供することを目的とする。
【課題を解決するための手段】
【００１９】
上述した課題を解決するために、本発明に係るレンズ調芯機構は、撮像レンズと、上記撮像レンズを保持するレンズ枠体と、上記レンズ枠体に挿通され、該レンズ枠体を上記撮像レンズの光軸方向と平行にガイドするガイド軸と、上記ガイド軸を支持する支持部が形成された鏡筒を備え、上記ガイド軸は、上記レンズ枠体に挿通される偏心カム部と、該偏心カム部の両側に同軸かつ上記偏心カム部の中心軸とは偏心されて形成された一対の回転操作軸とを有し、該回転操作軸が回転されることにより、上記レンズ枠体を上記光軸方向と直交する方向へ移動させ、上記撮像レンズの光軸を調整するものである。
【００２０】
また、本発明に係る鏡筒は、撮像レンズと、上記撮像レンズを保持するレンズ枠体と、上記レンズ枠体に挿通され、該レンズ枠体を上記撮像レンズの光軸方向と平行にガイドするガイド軸と、上記ガイド軸を支持する支持部を備え、上記ガイド軸は、上記レンズ枠体に挿通される偏心カム部と、該偏心カム部の両側に同軸かつ上記偏心カム部の中心軸とは偏心されて形成された一対の回転操作軸とを有し、該回転操作軸が回転されることにより、上記レンズ枠体を上記光軸方向と直交する方向へ移動させ、上記撮像レンズの光軸を調整するレンズ調芯機構が組み込まれたものである。
【００２１】
また本発明に係る撮像装置は、撮像レンズと、上記撮像レンズを保持するレンズ枠体と、上記レンズ枠体に挿通され、該レンズ枠体を上記撮像レンズの光軸方向と平行にガイドするガイド軸と、上記ガイド軸を支持する支持部を備え、上記ガイド軸は、上記レンズ枠体に挿通される偏心カム部と、該偏心カム部の両側に同軸かつ上記偏心カム部の中心軸とは偏心されて形成された一対の回転操作軸とを有し、該回転操作軸が回転されることにより、上記レンズ枠体を上記光軸方向と直交する方向へ移動させ、上記撮像レンズの光軸を調整するレンズ調芯機構と、上記レンズ調芯機構が組み込まれた鏡筒とを有する。
【発明の効果】
【００２２】
本発明に係るレンズ調芯機構、鏡筒及び撮像装置によれば、ガイド軸に設けられた回転操作軸を回転させることにより、レンズ光軸の調芯を行うことができ、調芯機構の部品点数を削減でき、レンズ鏡筒の省スペース化、小型化を実現できる。また、本発明は、ガイド軸の回転を規制することで、調芯後における光軸ズレを容易に防止することができる。
【発明を実施するための最良の形態】
【００２３】
以下、本発明が適用されたレンズ調芯機構、鏡筒及び撮像装置について、図面を参照しながら詳細に説明する。本発明は、図１に示すように、レンズ鏡筒２が内蔵された撮像装置１に適用されるものである。撮像装置１内に内蔵されるレンズ鏡筒２は、図２及び図３に示すように、略円筒形状の固定鏡筒３を有し、この固定鏡筒３内に、１群レンズ１０及び１群レンズ１０を保持するレンズ保持枠１１、ズームレンズ１２及びズームレンズ１２を保持するズーム移動枠１３、フォーカスレンズ１４及びフォーカスレンズ１４を保持するフォーカス移動枠１５と、固定鏡筒３の背面を閉塞する鏡筒蓋１６とを備える。
【００２４】
１群レンズ１０を保持するレンズ保持枠１１は、固定鏡筒３の先端部に１群レンズ１０を固定するものであり、矩形板状に形成され、中央部に１群レンズ１０を保持する。また、レンズ保持枠１１は、各コーナ部近傍に固定鏡筒３とビス止めされる固定孔２０が複数穿設されている。固定鏡筒３は、レンズ保持枠１１が固定されることにより、前面部が閉塞されるとともに、１群レンズ１０がその光軸を固定鏡筒３の長手方向に向けて臨まされる。
【００２５】
さらに、レンズ保持枠１１は、主面の一部に、後述する一対のズームガイド軸３０，３１の一端を外方に臨ませる調整孔２１が穿設されている。調整孔２１は、ズームガイド軸３０，３１の一端を支持するとともに、固定鏡筒３の前面側から端面を臨ませ、外部から各ズームガイド軸３０，３１の調整を可能としている。
【００２６】
ズームレンズ１２を保持するズーム移動枠１３は、固定鏡筒３内にズームレンズ１２を保持するとともに、光軸方向に亘って移動させるものであり、図４に示すように、略矩形板状に形成され、中央部にズームレンズ１２を保持する。またズーム移動枠１３は、ズームレンズ１２を挟んだ両側に、ズームレンズ１２の光軸方向への移動をガイドする一対のズームガイド軸３０，３１が挿通されている。具体的に、ズーム移動枠１３は、主面の一部に固定鏡筒３の長手方向に沿って背面側に延設された中空円筒状のスリーブ２７が取り付けられている。このスリーブ２７には、ズームガイド主軸３０が挿通されている。また、ズーム移動枠１３は、スリーブ２７とズームレンズ１２を挟んだ反対側に、外方側が開放された矩形凹部２８が形成されている。矩形凹部２８には、ズームガイド副軸３１が挿通される。
【００２７】
ズーム移動枠１３に挿通されるズームガイド主軸３０及びズームガイド副軸３１は、それぞれ一端をレンズ保持枠１１に支持され、他端を鏡筒蓋１６に支持されている。またズームレンズ１２は、ズーム移動枠１３がズームガイド主軸３０及びズームガイド副軸３１に支持されることにより、光軸方向が固定鏡筒３の長手方向と略平行となるように支持される。そしてズームレンズ１２は、詳細を省略する移動手段によってズーム移動枠１３がズームガイド主軸３０及びズームガイド副軸３１に沿って移動されることにより、光軸方向へ移動され、撮像倍率を変えることができる。
【００２８】
次いで、ズーム移動枠１３を支持する一対のズームガイド軸３０，３１について説明する。ズームガイド主軸３０は、ズーム移動枠１３に形成されたスリーブ２７内に挿通される偏心カム部３２と、偏心カム部３２の両端面より突設された一対の回転操作軸３３，３３とを有する。一対の回転操作軸３３は、同軸で形成され、図５に示すように、一方の回転操作軸３３はレンズ保持枠１１に形成された調整孔２１に挿通支持され、他方の回転操作軸３３は、固定鏡筒３の背面側に取り付けられている鏡筒蓋１６に設けられた軸受け部４６に回転自在に支持されている。また図６（ａ）に示すように、調整孔２１に挿通されている回転操作軸３３は、端面に調整溝３３ａが形成されている。調整溝３３ａは、回転操作軸３３の端面中心を通るスリットであり、図５に示すように、レンズ保持枠１１の主面よりその調整溝３３ａが外方に臨まされ、調整治具によって回転操作可能とされている。
【００２９】
また偏心カム部３２は、回転操作軸３３よりも大径の円柱体をなし、その両端面に回転操作軸３３が突設されている。また偏心カム部３２は、一対の回転操作軸３３に対して、偏心している。したがって偏心カム部３２は、回転操作軸３３が調整治具によって回転されると、回転操作軸３３に対して所定量だけ偏心しながら回転される。
【００３０】
ズームガイド副軸３１も、ズームガイド主軸３０と同様に、ズーム移動枠１３に形成された矩形凹部２８に挿通される偏心カム部３５と、偏心カム部３５の両端面より突設された一対の回転操作軸３６，３６とを有する。一対の回転操作軸３６も、同軸で形成され、一方をレンズ保持枠１１に設けられた調整孔２１に挿通支持され、他方を鏡筒蓋１６の軸受け部４６に回転自在に支持されている。また図６（ｂ）に示すように、調整孔２１に挿通されている回転操作軸３６には、端面に調整溝３６ａが形成され、レンズ保持枠１１の主面より外方に臨まされている（図２）。さらに、ズームガイド副軸３１は、偏心カム部３５と回転操作軸３６とは所定の偏心量を有し、回転操作軸３６が調整治具によって回転されると、偏心カム部３５が、回転操作軸３６に対して所定量だけ偏心しながら回転される。
【００３１】
また、ズームガイド副軸３１は、偏心カム部３５が矩形凹部２８に挿通されている。矩形凹部２８は、ズームガイド主軸３０の回転操作軸３３とズームガイド副軸３１の偏心カム部３５との各軸中心を通る方向に向かって開口され、ズームガイド副軸３１の偏心カム部３５を、当該開口方向に摺動自在に、開口方向と直交する方向に対しては移動不能に挟持している。ズーム移動枠１３は、矩形凹部２８にズームガイド副軸３１が挿通することにより、調芯工程以外の通常使用時において、回転が規制される。
【００３２】
なお、矩形凹部２８の開口方向は適宜、選択可能であり、後述するように、ズームガイド主軸３０の回転操作軸３３の回転に応じてズーム移動枠１３が光軸方向と直交する方向に移動できれば、その開口方向は問わない。
【００３３】
かかるズームガイド軸３０，３１は、レンズ保持枠１１の調整孔２１より回転操作軸３３，３６の各調整溝３３ａ，３６ａが外方に臨まされ、レンズ鏡筒２の外側から調整治具によって回転操作されることにより、ズーム移動枠１３を、ズームレンズ１２の光軸方向と直交する方向へシフトさせる。これにより、ズームガイド軸３０，３１は、ズームレンズ１２の光軸調整を行うことができる。
【００３４】
具体的に、図７及び図８に示すように、ズームレンズ１２がレンズ理想光軸Ｏにある場合の回転操作軸３３の軸中心をＯ１とする。ズームガイド主軸３０の偏心角度がＸ軸からαとなるように回転させると、偏心カム部３２の軸中心はＯ２となる。偏心カム部３２の偏心量をＡとした場合、ズームガイド主軸３０の回転角度αを変化させていくと、図７に示すように、ズームレンズ１２の光軸はＯを中心とする楕円軌跡Ｌ１を描く。
【００３５】
次にこの状態からズームガイド副軸３１を回転させたときの動きを説明する。図９に示すように、Ｏ１と、回転操作軸３６の中心Ｏ４を結んだ直線からの角度がβとなるように、ズームガイド副軸３１の回転操作軸３６を回転させると、偏心カム部３５の中心はＯ５となる。
【００３６】
この時、図１０に示すように、ズームレンズ１２の光軸Ｏ３は、角度βに応じて、Ｏ２を中心とする半径（Ｏ２〜Ｏ３）の円軌跡Ｌ２上に移動する。つまり、ズームガイド主軸３０の回転角度αとズームガイド副軸３１の回転角度βの組合わせにより、図１１に示す範囲で、ズームレンズ１２の光軸をシフトすることが可能となる。逆に、光学的に必要なシフト量から、ズームガイド主軸３０の偏心量Ａ及びズームガイド副軸３１の偏心量Ｂを決めれば良く、偏心量ＡおよびＢの設計量により光軸シフト調整可能量を自由に設定できる。
【００３７】
例えば、角度αおよび角度βの調整前初期位置を０とする。この時にレンズ鏡筒２の光学性能にいわゆる「片ボケ」が発生した場合、片ボケを収束させるズームレンズ位置を自動的に算出させ、角度αおよび角度βを割り出すことにより、簡単に調整することができる。
【００３８】
光軸調整後はレンズ保持枠１１とズームガイド主軸３０の回転操作軸３３及びズームガイド副軸３１の回転操作軸３６を接着剤などにより固定すれば良い。したがって、本発明によれば、従来例で示したような調芯リング等の大きな部品を接着固定する必要はなく、ズームガイド軸３０，３１を固定すればよいので、調整後にレンズが調整位置から動いてしまうというリスクを軽減することができる。また、本発明によれば、レンズの調芯工程が、一対のガイド軸３０，３１のみで実現できるので、バネ等の弾性部品を用いることなく、部品点数の削減及び固定鏡筒３の省スペース化、レンズ鏡筒２の小型化、低コスト化を実現することができる。
【００３９】
フォーカスレンズ１４を保持するフォーカス移動枠１５は、固定鏡筒３内にフォーカスレンズ１４を保持するとともに、光軸方向に亘って移動させるものであり、図３に示すように、略矩形板状に形成され、中央部にフォーカスレンズ１４を保持する。またフォーカス移動枠１５は、フォーカスレンズ１４を挟んだ両側に、フォーカスレンズ１４の光軸方向への移動をガイドする一対のフォーカスガイド軸４０，４１が挿通されている。具体的に、フォーカス移動枠１５は、主面の一部に固定鏡筒３の長手方向に沿って背面側に延設された中空円筒状のスリーブ４３が形成されている。このスリーブ４３には、フォーカスガイド主軸４０が移動自在に挿通される。またフォーカス移動枠１５は、スリーブ４３とフォーカスレンズ１４を挟んだ反対側に、外方側が開放された矩形凹部４４が形成されている。矩形凹部４４には、フォースガイド副軸４１が移動自在に挿通される。
【００４０】
フォーカス移動枠１５に挿通されるフォーカスガイド主軸４０及びフォーカスガイド副軸４１は、いずれも、円柱体からなり、それぞれ、一端側をフォーカス移動枠１５に挿通され、他端を固定鏡筒３の背面側に取り付けられている鏡筒蓋１６に設けられた軸受け部４６に支持されている。フォーカスレンズ１４は、フォーカス移動枠１５がフォーカスガイド軸４０，４１に支持されることにより、光軸方向が固定鏡筒３の長手方向と平行となるように支持される。そして、フォーカスレンズ１４は、詳細を省略する移動手段によって、フォーカス移動枠１５がフォーカスガイド主軸４０及びフォーカスガイド副軸４１に沿って移動されることにより、焦点調節を行うことができる。
【００４１】
なお、フォーカス移動枠１５は、矩形凹部４４にフォーカスガイド副軸４１が挿通されることにより、光軸方向と直交する方向への回転が規制されている。
【００４２】
その他、固定鏡筒３内には、ズームレンズ１２及びフォーカスレンズ１４の調整に応じて、絞り調整を行うアイリス４５が配設されている。また、固定鏡筒３の背面側を閉塞する鏡筒蓋１６は、上述したズームガイド軸３０，３１及びフォーカスガイド軸４０，４１の各他端部を支持する軸受け部４６が複数形成されている。
【００４３】
また、本発明は、一対のズームガイド軸及び一対のフォーカスガイド軸とを共用するように構成することもできる。なお、以下の実施例において、上述した固定鏡筒３内に配設された構成部品と同一の構成部品については、上記と同一の符号を付してその詳細を省略する。すなわち、図１２に示すように、本実施例においても、１群レンズ１０及び１群レンズ１０を保持するレンズ保持枠１１、ズームレンズ１２及びズームレンズ１２を保持するズーム移動枠１３、フォーカスレンズ１４及びフォーカスレンズ１４を保持するフォーカス移動枠１５、鏡筒蓋１６が用いられる。
【００４４】
そして、本実施例では、図１３及び図１４に示すように、ズーム移動枠１３及びフォーカス移動枠１５は、ガイド主軸５０及びガイド副軸５１によって支持される。ガイド主軸５０は、ズーム移動枠１３に形成されたスリーブ２７内に挿通される偏心カム部５２と、偏心カム部５２の両端面より突設された一対の回転操作軸５３，５４とを有する。
【００４５】
偏心カム部５２は、回転操作部５３，５４よりも大径の円柱体をなし、中心軸が、両端面より突設された回転操作軸５３，５４の中心軸から偏心されている。
【００４６】
一対の回転操作軸５３，５４は、同軸で形成されている。固定鏡筒３の前面側に向かって突設された一方の回転操作軸５３は、レンズ保持枠１１に形成された調整孔２１に回転自在に挿通支持され、その端面がレンズ保持枠１１の外方に臨まされている。そして調整孔２１より外方に臨まされた端面には、端面中心を通るスリットからなる調整溝５３ａが形成されている。
【００４７】
また、固定鏡筒３の背面側に向かって突設された他方の回転操作軸５４は、フォーカス移動枠１５の矩形凹部４４に挟持される挟持部５４ａと、固定鏡筒３の背面側に取り付けられている鏡筒蓋１６に設けられた軸受け部４６に回転自在に支持されている支持部５４ｂとからなる。支持部５４ｂは、挟持部５４ａよりも小径に形成され、挟持部５４ａの端面より背面側に向かって突設されている。
【００４８】
かかるガイド主軸５０は、調整孔２１より外方に臨まされた調整溝５３ａが、調整治具により回転操作されると、偏心カム部５２が一対の回転操作軸５３，５４に対して所定量だけ偏心しながら回転される。したがって、ガイド主軸５０は、偏心カム部５２によってズーム移動枠１３をズームレンズ１２の光軸方向と直交する方向へ移動させることができる。また、ガイド主軸５０は、回転操作軸５４がフォーカス移動枠１５の矩形凹部４４に挟持されることにより、フォーカス移動枠１５の光軸方向への移動をガイドするとともに、フォーカス移動枠１５が光軸方向と直交する方向へ回転することを防止している。
【００４９】
ガイド副軸５１も、ガイド主軸５０と同様に、ズーム移動枠１３に形成された矩形凹部２８に挟持される偏心カム部５６と、偏心カム部５６の両端面より突設された一対の回転操作軸５７，５８とを有する。
【００５０】
偏心カム部５６は、回転操作部５７，５８よりも大径の円柱体をなし、中心軸が、両端面より突設された回転操作軸５７，５８の中心軸から偏心されている。
【００５１】
一対の回転操作軸５７，５８は、同軸で形成されている。固定鏡筒３の前面側に向かって突設された一方の回転操作軸５７は、レンズ保持枠１１に形成された調整孔２１に回転自在に挿通支持され、その端面がレンズ保持枠１１の外方に臨まされている。そして調整孔２１より外方に臨まされた端面には、端面中心を通るスリットからなる調整溝５７ａが形成されている。
【００５２】
また、固定鏡筒３の背面側に向かって突設された他方の回転操作軸５８は、フォーカス移動枠１５のスリーブ４３に挿通される挿通部５８ａと、固定鏡筒３の背面側に取り付けられている鏡筒蓋１６に設けられた軸受け部４６に回転自在に支持されている支持部５８ｂとからなる。支持部５８ｂは、挿通部５８ａよりも小径に形成され、挿通部５８ａの端面より背面側に向かって突設されている。
【００５３】
かかるガイド副軸５１は、調整孔２１より外方に臨まされた調整溝５７ａが、調整治具により回転操作されると、偏心カム部５６が一対の回転操作軸５７，５８に対して所定量だけ偏心しながら回転される。したがって、ガイド副軸５１も、偏心カム部５６によってズーム移動枠１３をズームレンズ１２の光軸方向と直交する方向へ移動させることができる。また、ガイド副軸５１も、回転操作軸５８がフォーカス移動枠１５のスリーブ４３に挿通されることにより、フォーカス移動枠１５の光軸方向への移動をガイドする。
【００５４】
このようなガイド主軸５０及びガイド副軸５１は、偏心カム部５２，５６に挿通されているズーム移動枠１３をズームレンズ１２の光軸方向と直交する方向へ移動させることができ、ズームレンズ１２の調芯を行うことができる。また、ガイド主軸５０及びガイド副軸５１は、回転操作軸５３，５４，５７，５８が同軸に形成されていることから、ズームレンズ１２の調芯工程においても、フォーカス移動枠１５をフォーカスレンズ１４の光軸方向と直交する方向へ移動させることはない。なお、ズームレンズ１２の調芯工程は、上述した工程と同様であるため省略する。
【００５５】
このように、ズーム移動枠１３及びフォーカス移動枠１５を、ガイド主軸５０及びガイド副軸５１によって支持することにより、ズームガイド軸３０，３１及びフォーカスガイド軸４０，４１を用いた構成に比して、ガイド軸の部品点数を削減することができ、また固定鏡筒３内におけるガイド軸が占める領域が削減でき、固定鏡筒３及びレンズ鏡筒２の小型化を図ることができる。
【００５６】
なお、上述した各実施例では、ズームレンズ１２の光軸調整を行う構成としたが、本発明は、フォーカスレンズ１４の光軸調整を行う構成としてもよい。この場合、ズーム移動枠１３に挿通されるズームガイド軸には偏心カム部が形成されないか、あるいはズーム移動枠１３にガイド主軸の回転操作軸が挿通され、フォーカス移動枠１５に挿通されるフォーカスガイド主軸には偏心カム部が形成され、あるいはフォーカス移動枠１５にガイド主軸の偏心カム部が挿通される。
【００５７】
また、上述した各実施例においては、ズーム移動枠１３やフォーカス移動枠１５、及びこれらに支持されるズームレンズ１２やフォーカスレンズ１４は、単レンズ以外にも、光軸方向と直交する方向への位置決めがなされた固定レンズ群とすることもできる。この場合、ズームガイド軸３０，３１やガイド軸５０，５１は、複数のズーム移動枠１３や、複数のフォーカス移動枠１５に挿通される。
【図面の簡単な説明】
【００５８】
【図１】本発明が適用された撮像装置を示す斜視図である。
【図２】本発明が適用されたレンズ鏡筒を示す斜視図である。
【図３】本発明が適用された固定鏡筒を示す分解斜視図である。
【図４】ズーム移動枠及びズームガイド軸を示す斜視図である。
【図５】固定鏡筒内に支持されているズームガイド主軸を示す断面図である。
【図６】回転操作軸の端面を示す図である。
【図７】ズームガイド主軸の回転によるレンズ光軸の移動軌跡を示す図である。
【図８】調芯工程を説明するための図である。
【図９】調芯工程を説明するための図である。
【図１０】調芯工程を説明するための図である。
【図１１】ズームレンズの光軸の可動範囲を示す図である。
【図１２】本発明が適用された他の固定鏡筒内部を示す斜視図である。
【図１３】本発明が適用された他のガイド軸を示す斜視図である。
【図１４】本発明が適用された他の固定鏡筒内に支持されたガイド主軸を示す断面図である。
【図１５】従来のシフト調芯機構を示す斜視図である。
【図１６】従来のシフト調芯機構を示す断面図である。
【図１７】従来のシフト調芯機構を示す断面図である。
【符号の説明】
【００５９】
１  撮像装置、２  レンズ鏡筒、３  固定鏡筒、１０  １群レンズ、１１  レンズ保持枠、１２  ズームレンズ、１３  ズーム移動枠、１４  フォーカスレンズ、１５  フォーカス移動枠、１６  鏡筒蓋、２０  固定孔、２１  調整孔、２７  スリーブ、２８  矩形凹部、３０  ズームガイド主軸、３１  ズームガイド副軸、３２  偏心カム部、３３  回転操作軸、３３ａ  調整溝、３５  偏心カム部、３６  回転操作軸、３６ａ  調整溝、４０  フォーカスガイド主軸、４１  フォーカスガイド副軸、４３  スリーブ、４４  矩形凹部、４５  アイリス、４６  軸受け部
【図１】
2008209647.tif 000003
【図２】
2008209647.tif 000004
【図３】
2008209647.tif 000005
【図４】
2008209647.tif 000006
【図５】
2008209647.tif 000007
【図６】
2008209647.tif 000008
【図７】
2008209647.tif 000009
【図８】
2008209647.tif 000010
【図９】
2008209647.tif 000011
【図１０】
2008209647.tif 000012
【図１１】
2008209647.tif 000013
【図１２】
2008209647.tif 000014
【図１３】
2008209647.tif 000015
【図１４】
2008209647.tif 000016
【図１５】
2008209647.tif 000017
【図１６】
2008209647.tif 000018
【図１７】
2008209647.tif 000019